(57)【要約】      （修正有）【課題】椅子に腰掛けた状態で足腰を暖かく保つことができる個人用電気足温箱を提供する。【解決手段】椅子に腰掛けて両足を入れることができる程度の適切な寸法の箱の内面を熱絶縁し、箱の中に入れた足、膝から腰まで毛布で厚く覆い、電気ミニマット、ミニ電気毛布で加温する方式の、移動可能な低電力で温度調節もできる個人用掘りごたつともいうべき個人用足温箱を提供する。これにより冬季室内の暖房なしに学生の勉学用に、机に向かう仕事に、老人の読書、手芸等に、暖かく快適な場が得られることになる。【選択図】図２
0003142318.tif 000002
【実用新案登録請求の範囲】
【請求項１】
両側面と前面の高さ約50cm、後面の高さ約40cm、横幅約50cm奥行き35cm程度の箱の内面に断熱材を貼り、内面、上面を広く厚手あるいは重ね毛布で覆って保温し、電気ミニマット、ミニ電気毛布等で加温して、椅子に腰掛けて両足を箱に入れた人の足、膝、腰を暖かく保つ個人用電気足温箱。
【請求項２】
足を揚げずに足温箱の中に両足を入れるために、前面または片側面を開閉できる構造、あるいは前面・両側面のコの字部分を後面・底面のＬ字部分から分離スライドして隔離しまた隙間無く結合させることができる構造の上記足温箱
【請求項３】
上記開閉可能あるいは分離結合可能な個人用電気足温箱と椅子、可動椅子とを組み合わせた電気足温箱付き椅子。
【考案の詳細な説明】
【技術分野】
【０００１】
椅子に腰掛けた状態で足腰を暖かく保つことができる個人用電気足温箱の構造に関する
【背景技術】
【０００２】
部屋全体を暖める電気暖房装置は維持費が高く、石油ストーブも燃料費が高く排ガスの問題も回避できない。
【０００３】
電気掘りごたつは日本で広く使われてきた経済的で清浄な家庭用電気暖房器であるが、洋室で椅子に腰掛けては使用できず、個人で使うには固定された位置、大きさ、所要電力等の面から不適当である。
【０００４】
一般の電気掘りごたつは高温の発熱体を熱源として広く実用されているが、個人用では保温スペースが狭いので発熱体温度を低くすることが必要となる。
【０００５】
椅子に腰掛けている時間が長い現代生活では、冬季、椅子に腰掛けて使用できる個人用掘りごたつ、すなわち消費電力は極めて小さいが足腰を暖かく保つことができ、かつ使用位置を自由に変えられる個人用足温箱に対する期待は極めて大きいものと考えられる。
【特許文献１】実用新案登録  ３１３０３６７
【考案の開示】
【考案が解決しようとする課題】
【０００６】
腰掛けている個人が、あたかも掘り炬燵に入ったと同様に腰から下全体の暖かさと快適さを安価に安全に享受できるようにする。
【０００７】
高い保温性能、加温の安全性、温度調整の機能が確保されなければならない。
【課題を解決するための手段】
【０００８】
内面を断熱性の高い材料で包んだ保温箱の内部、上部を重ね毛布等で覆い、電気ミニマット、ミニ電気毛布等で加温して、両足を入れた人の足腰を暖かく保つ個人用足温箱を提供する。
【考案の効果】
【０００９】
足温箱の保温性を高くすることにより50〜100ワット程度の低電力で、他の暖房なしに十分暖かく仕事し、読書することができる。ただし上半身は厚着をする必要がある。
【００１０】
特に学生の勉強部屋などで個人用足温箱を用いれば、頭寒足温が一挙に得られ長時間の使用に関わらず電力費は僅少で済む。
【００１１】
石油ストーブで暖房すれば室内空気は汚れ一酸化炭素、炭酸ガス濃度も高くなるが、個人用足温箱を用いれば室内空気は清浄に保たれる。
【００１２】
老人にとって冬季は寒さによる手足の痛み等でつらい季節であるが、この足温箱を用いれば膝にかけた暖かい毛布の下に手を入れることで足、腰、手共に暖かくして気兼ねなく快適に過ごすことができる。
【００１３】
キャスターつきの椅子に個人用足温箱を結合させた電気足温器付き可動椅子を用いれば、洋室内での使用位置の移動も簡単で、食事、机に向かう仕事、休息、団欒を快適に行うことができる。
【考案を実施するための最良の形態】
【００１４】
図１は本電気足温箱の構造を示す見取り図である。前面、両側面の高さ約50cm、後面の高さ約40cm、横幅約50cm, 奥行き約35 cm程度の、底面を含めて計５面からなる隙間の無い木製あるいはプラスチック製の箱を用意する。毛布の適当な長さを示すために毛布を真っ直ぐに持ち上げた状態で半分程度カットし、上縁の手すり木も一部カットした状態を示した。
【００１５】
箱の内面全面を断熱材でカバーする。断熱材料で箱を作ればなおよい。
【００１６】
底板の下面には床と柔らかく接触し摺動性のよい材料を貼る。
【００１７】
図２は本電気足温箱を使用している状態を右横から見た断面図である。箱の内両側面・前面を通じて２枚重ねの膝掛け毛布を図２のように裾を薄板で押さえ、吊り紐あるいは吊り布で箱の上辺部で吊り止めにする。これは毛布が脚部や膝によく接触するようにするためである。
【００１８】
箱の後面にはその上板より外に垂れる程度の長さの重ねた膝下毛布、あるいは重ね折りしたタオルケットの裾を薄板で押さえて上部は図１のように後ろへはね出しておく。このはね出し部分は椅子の前縁との隙き間を埋めるのに役立つ。
【００１９】
箱の底面には電気ミニマットを敷く。
【００２０】
椅子に腰掛けて足を箱に入れた人の脚部、大腿部を巻くようにミニ電気毛布をセットし、膝掛け毛布で膝を覆って加温する。ただしこの様な構成はこれに限るものではなく、より適切な構成が考案されることが望まれる。
【００２１】
足温箱の高い保温性と低電力ながら温度調整機能を持つミニ電気毛布による加温で安価に、安全に快適な掘りごたつ環境を確保できる。
【００２２】
保温箱には電気ミニマット、ミニ電気毛布用の電源スイッチ、パイロットランプを備えるのがよい。  
【００２３】
足温箱に足を上から入れることが困難な人のために、足温箱の前面、あるいは側面をドア状に開閉できる構造、あるいは前面・両側面のコの字部分と後・底面
の逆Ｌ字部分をスライド的に分離しまた結合できる構造をもつ足温箱を用意するのがよい。この様な分離型では後・底面を椅子と結合させて用いる。
【００２４】
この個人用電気足温箱の第一の特徴は極めて低電力、50〜100ワットで十分暖かく過ごすことができ頭寒足熱環境が実現できることである。このため学生、夜間机に向かう仕事をする人などに最適である。
【００２５】
楽に座ることのできる椅子と組み合わせて老人、病人が気兼ねなく快適な生活する場を与えることができる。寒いからベッドに入るという必要は無くなり、逆に座り心地のよい暖かい安楽場所ができる。したがって手芸、読書、その他に有効に時間を利用できる。足温箱には読書台等を取り付けることもできる。
【００２６】
排ガスがないから、部屋の密閉性を気にする必要が少なくなる。すなわち保温性を高めることができる。
【００２７】
個人用電気足温箱は椅子と共にどこへでも移動可能である。このためには椅子はキャスターのついた移動できるタイプのものが便利で、足温箱と結合させた可動椅子を用いれば、介護者はコンセントからコードをはずすだけで病人、老人を座らせたまま食事の場所、日向ぼっこの場所、トイレに移動させることができる。
【実施例】
【００２８】
申請者はこの電気足温箱をすでに５年以上前から試作、改良し、使用し続けている。寸法もいろいろ試みた結果、適当と思われる値を提案した。
【００２９】
当初電気ミニマットだけで使い始めたが、膝の辺りの暖かさが足りず、ミニ電気毛布を加えてからはミニ電気毛布だけで満足して机に向かっての仕事に有効に利用している。この快適さ、有効性を多くの人に分かちたいと考えた。
【００３０】
足温箱を用いずに、腰掛けた状態で足を暖めるために、ミニマットを置いて足を毛布で巻くなどの方法も試みたが、安定して暖かさを保つことは不可能であり、外周から熱絶縁された保温性のよい箱が必須であることを確認している。
【産業上の利用可能性】
【００３１】
本足温箱が産業に直接利用されることはないであろう。しかしこの保温箱は世界で最も省エネルギー性の高い暖房器具であり、地球温暖化を遅らせる効果を持つ意義を強調したい。石油ストーブを終日、終夜つけることを考えれば、その効果は極めて大きいと言える。
【図面の簡単な説明】
【００３２】
【図１】本電気足温箱の構造を示す見取り図
【図２】本電気足温箱を使用している状態を右横から見た断面図
【符号の説明】
【００３３】
１  前板                ２  右側板              ３  左側板
４  後板                ５  底板                ６  断熱材
７  手すり木            ８  膝掛毛布            ９  膝下毛布
１０  吊り紐（布）      １１  毛布押さえ板      １２  電気ミニマット
１３  ミニ電気毛布
【図１】
0003142318.tif 000003
【図２】
0003142318.tif 000004
【手続補正書】
【提出日】平成20年4月2日(2008.4.2)
【手続補正１】
【補正対象書類名】実用新案登録請求の範囲
【補正対象項目名】請求項２
【補正方法】変更
【補正の内容】
【請求項２】
請求項1に記載された足温箱において、足を揚げずに中に両足を入れるために、前面または片側面を開閉できる構造、あるいは前面・両側面のコの字部分を後面・底面のＬ字部分から分離スライドして隔離しまた隙間無く結合させることができる構造の足温箱
【手続補正２】
【補正対象書類名】実用新案登録請求の範囲
【補正対象項目名】請求項３
【補正方法】変更
【補正の内容】
【請求項３】
請求項2に記載された個人用電気足温箱と椅子、可動椅子とを組み合わせた電気足温箱付き椅子